Podtech/llm-jp-corpus-v4-ja_patent huggingface dataset:
(57)【要約】【課題】    巻き鉄線は、其の先端がぐるぐる巻きの中に混入してしまうと、同一鉄線、同一色の為、次に切断しようとして其の先端を探すのに、時間的、肉体的に不用な浪費をするばかりでなく、時には感情的混乱を生じて作業を続行することが出来ず、鉄線の先端を探す事なく適当な長さに切断したりするなどの場合が多く見られ、経済的かつ円滑な作業を続行する事が出来ない、前述の欠点を解決しようとするものである。【解決手段】    目印用パイプ本体の外周部に取っ手を設けて握り易くし、目印用パイプ本体を瞬時に発見出来るように着色した。其の内側は円筒部材として、鉄筋が目印用パイプの挿通部より先細形円筒部材を貫通して先細端に接する部分に、内挿されたゴム円筒を装着する事により鉄線が逆行するのを防止して問題点を解決している。  【選択図】    図２
0003136803.tif 000002
【実用新案登録請求の範囲】
【請求項１】
鉄線を挿通して、前記鉄線の先端部の目印とする目印用パイプに於いて、円筒部材と、前記円筒部材に内挿された、先細形円筒部材の先細端に接する部分に内挿された、ゴム円筒を備える事を特徴とする目印用パイプ。
【請求項２】
前記パイプ本体の、外周部に取っ手を設けて握りやすくした、請求項１記載の目印用パイプ。
【請求項３】
前記パイプ本体が、着色されている、請求項１又は２に記載の目印用パイプ。
【考案の詳細な説明】
【技術分野】
【０００１】    本考案は、巻き鉄線を切断する場合、切断した先端を見失わないようにする目印用パイプに関するものである。
【背景技術】
【０００２】    建設現場において、異形物の材料を結束したり、建築材料を収納運搬するのに、結束したりして巻き鉄線を切断した場合、後続にまぎれて其の先端が行方不明になっても、後続鉄線はぐるぐる巻きにしてそのまま次の作業をしていた。
【考案の開示】
【考案が解決しようとする課題】
【０００３】    巻き鉄線は、其の先端がぐるぐる巻きの中に混入してしまうと、同一鉄線、同一色の為、次に切断しようとして其の先端を探すのに、時間的、肉体的に不用な浪費をするばかりでなく、時には感情的混乱を生じて作業を続行する事が出来ず、鉄線の先端を探す事なく適当な長さに切断したりするなどの場合が多く見られ、経済的かつ円滑な作業を続行する事が出来ないなど、前述の欠点を解決しようとするものである。
【課題を解決するための手段】
【０００４】    本考案は、目印用パイプ本体の外周部に取っ手を設けて握り易くし、目印用パイプ本体を瞬時に発見出来るように着色した。其の内側は円筒部材として、鉄線が目印用パイプの挿通部より挿通すれば、先細形円筒部材を貫通して先細端に接する部分に、内挿されたゴム円筒を装着する事により、鉄線が逆行するのを防止して問題点を解決している。
【考案の効果】
【０００５】    上述の様に、本考案の目印用パイプは、目印用パイプ本体の外周部に取っ手を設けて握り易くしている。小型で軽量、携帯にも便利で何処にでも持ち回る事が出来るし、収納、取り出しも簡単、其の上、着色しているので何処に置いていても瞬時に発見する事が可能である。又、他の鉄線と一緒に足で踏み潰したり、他の塵と一緒に塵箱に捨てたりする事もない。
【考案を実施するための最良の形態】
【０００６】    着色された、目印用パイプ本体の外周部に取っ手を設けて握り易くし、目印用パイプ本体を瞬時に発見出来るようにした。其の内側は円筒部材として、鉄線の先端を目印用パイプの挿通部に挿通して先細形円筒部材を貫通、先細端に接する部分に、内挿されたゴム円筒を装着する事により、鉄線が其のゴム円筒を貫通すると、逆行出来なくなり逆行防止として鉄線を切断する事が出来る。以上の作業を反復して鉄線を使いきるまで目印用パイプは鉄線より離脱しない。
【実施例】
【０００７】    以下、添付図に従って一実施例を説明する。１は耐久性のプラスチックス部材による取っ手を設けて握り易くし、目印用パイプ２の外周部に設定した。目印用パイプ２は周囲の色と見分けやすいように着色して、瞬時に発見出来るようにした。取っ手１を握り、鉄線７の先端を目印用パイプ２に内挿された、先細形円筒部材３の挿通部５より挿通し、先細端のゴム円筒４を貫通して、切断部６に達した鉄線７は切断具８により切断され、以上の作業を反復して鉄線７を使いきるまで目印用パイプは鉄線７より離脱しない。【０００８】    本考案の一実施例は上述の如き構成からなるものであるから、握り易い取っ手１を握り、目印用パイプ２に内挿された、先細形円筒部材３を挿通し、先細端のゴム円筒４を貫通して鉄線７を切断すれば、作業もスムーズに進む。
【図面の簡単な説明】
【０００９】
【図１】本考案の目印用パイプの正面図である。
【図２】本考案の目印用パイプの断面図である。
【図３】本考案の目印用パイプの側面図である。
【図４】鉄線に目印用パイプをセットした図である。
【図５】使用状況の図である。
【符号の説明】
【００１０】      １    取っ手      ２    目印用パイプ      ３    先細形円筒部材      ４    ゴム円筒      ５    挿通部      ６    切断部      ７    鉄線      ８    切断具 
【図１】
0003136803.tif 000003
【図２】
0003136803.tif 000004
【図３】
0003136803.tif 000005
【図４】
0003136803.tif 000006
【図５】
0003136803.tif 000007
(57)【要約】      （修正有）【課題】きわめて簡素化した、うちわと水かきを兼用できる器具を提供する。【解決手段】盤１の一部に親指３用のくぼみ２を設け、盤１全体に反り４を施して盤１の曲がり５を防ぐ。【選択図】図１
0003136810.tif 000002
【実用新案登録請求の範囲】
【請求項１】
盤の一部に親指用のくぼみと、盤に反りを施すうちわ水かき兼用器具。
【考案の詳細な説明】
【技術分野】
【０００１】  本考案は、きわめて簡潔な手段で、うちわと水かきを兼用にした器具である。
【背景技術】
【０００２】  概ねうちわには握手があり、水泳用水かきは、大方、手の形をして水鳥のように水かきを設けたものであった。
【考案の開示】
【考案が解決使用とする課題】
【０００３】  極限に簡素化し、凹と反りを採用し、かつ優れた兼用機能をもたせた。
【課題を解決するための手段】
【０００４】  極限に簡素化を追求し、盤に親指用のくぼみと反りのみを採用した。盤が平らで反りがないと図４で示すように盤は折れ曲り、両者兼用としての機能を果たせない。
【考案の効果】
【０００５】  前述のように本案は、贅肉をそぎ落とし最小限に省略したものである。盤の親指の位置にくぼみをつけ力が入るようにした。また反りによって盤を補強した。
【考案を実施するための最良の形態】
【０００６】  親指を下向きにするか、上向きにするかによって、風を扇ぎ涼をとるうちわにし、また水泳時の水かきなどの、それぞれ異なった二つの用途に適用させた。
【実施例】
【０００７】  盤１のくぼみ２に親指３をあてがい、親指３を上にしてうちわとして扇ぐ。また、くぼみ２にあてがった親指３を下にして、両手で盤１を平らな状態で泳ぎながら手前に水をかき寄せる。両手を前に差し出すときは、盤１をタテにして水の抵抗を避ける。この繰り返しで泳ぎを前進させる。【０００８】  材質は、うちわでは盤１を厚紙又は薄手の樹脂を使い。水かきでは盤１を薄手の樹脂にした。【０００９】  比較的薄い樹脂板や厚紙に親指３のくぼみ２を圧縮成形し、同時に反り４を施す。【００１０】  盤１の親指３の部分のくぼみ２をやや長めに施すと、必然的に皿のように反りを生じて盤１を補強し、折れ曲り５を防止できる。
【図面の簡単な説明】
【００１１】
【図１】  盤のくぼみに親指を添えた平面図である。
【図２】  盤のくぼみのを表した平面図である。
【図３】  盤の側面図である。
【図４】  盤が折れ曲がった状態の斜視図である。
【符号の説明】
【００１１】  １  盤
２  くぼみ
３  親指
４  反り
５  曲がり
【図１】
0003136810.tif 000003
【図２】
0003136810.tif 000004
【図３】
0003136810.tif 000005
【図４】
0003136810.tif 000006
【手続補正書】
【提出日】平成19年8月3日(2007.8.3)
【手続補正１】
【補正対象書類名】明細書
【補正対象項目名】００１０
【補正方法】変更
【補正の内容】
【００１０】  盤１の親指３の部分のくぼみ２をやや長めに施すと、必然的に皿のように反りを生じて盤１を補強し、折れ曲り５を防止できる。
盤１の両面に模様や絵、写真、文字など記入する。
(57)【要約】      （修正有）【課題】尺八の歌口から最上孔までの間の管の任意の部位を、管の裏方向に曲げる事により、管の規定の寸法は確保しながらも、歌口から各孔までの直線の距離を短縮する事により、尺八を支持し運指する指が、より先の方まで届くようにし、従来よりも長尺の尺八の支持、運指、吹奏が可能になった。【解決手段】尺八の管の規定の寸法は確保しつつも、歌口から最上孔までの間の管の任意の部位を管の裏方向に曲げ、尺八の歌口から各孔までの直線距離を短縮することにより、尺八を支持し運指する手や指の先が各孔にも届き易くした。【選択図】図２
0003136874.tif 000002
【実用新案登録請求の範囲】
【請求項１】
尺八の歌口から最上孔までの間の管の任意の部位に、尺八の裏方向に曲げた部分を有する尺八。
【考案の詳細な説明】
【技術分野】
【０００１】
本考案は、尺八の歌口と、最上孔の間の管の任意の部位を管の裏方向に向けて曲げた部分を有する尺八に関するものである。
【背景技術】
【０００２】
尺八はその名の示す通り、長さが一尺八寸の物を標準とするが、それより短い物もあれば長い物もある。長さが短くなればなる程より高い音を発生し、長さが長くなればなる程より低い音を発生する。長尺の尺八から発生する低音は誠にのどかでおうらかで癒し効果の大きい音色であるために、特に愛好者の間で聞きたい、吹奏したい要望が強いが、尺八は長尺になればなる程歌口から各孔までの規定の寸法も長くなるために、尺八を支持し運指する手指の先が各孔にも届きにくくなったり、吹奏不能になつたりする。
【考案の開示】
【考案が解決しようとする課題】
【０００３】
長尺の尺八の発生する低音に魅せられて聞きたい、吹奏したいという愛好者は多くても各孔まで手指が届きにくいのでは吹奏することもままならない。しかし構造上、管の長さは規定されているものの、尺八の歌口付近を曲げれば、尺八の歌口から各孔までの直線距離は短縮できるのではないか。そうすれば尺八を支持し運指する手指が届き易くなるのではなかろうか。課題を据えて考察してみる。
【課題を解決するための手段】
【０００４】
本考案は、尺八の歌口から最上孔までの間の管の任意の部位を管の裏方向に曲げる事により歌口から各孔までの直線距離を短縮して、尺八を支持し運指する手指の先が各孔にも届き易くした。  
【考案の効果】
【０００５】
本考案は、尺八の歌口から最上孔までの間の管の任意の部位を、管の裏方向に曲げる事により、管の規定の寸法は確保しながらも、歌口から各孔までの直線の距離を短縮する事により、尺八を支持し運指する指が、より先の方まで届くようになった。従来よりも長尺の尺八の支持、運指、吹奏が可能、楽になった。又、曲げた角度の分だけ管尻が下がる。これに伴い尺八を支持し運指する手指の位置が、腹部直近の前方に移動してくるが、この位置は物を持っても操作をしてもとてもやり易い位置、長尺の尺八もまた扱い易い。更にこの位置は尺八を支持し運指する手指から見て、従来とは逆に腕のつけ根である肩が、口の位置よりも近くにあるため、腕のストロークや手指の動きに十分なる余裕が生まれる。長時間の吹奏も疲れにくい。
【考案を実施するための最良の形態】
【０００６】
長尺の尺八の発生する低音は誠にのどかでおおらか、癒し効果の大きい音色であるが、尺八は長くなれば成る程、歌口から各孔までの規定の寸法も長くなるため、腕の長い大柄な人でも、吹奏可能な尺八の長さは二尺三寸位までとされている。手指がもっと先の方まで届けばより低音を発生させられる長尺の尺八を吹奏することができるのであるが、と考察を重ね本考案は、尺八の歌口から各孔までの管の寸法は確保しつつも、尺八の歌口から最上孔までの間の管の任意の部位を管の裏方向に曲げる事により、歌口から各孔までの直線距離を短縮した。これにより尺八を支持し運指する手指が従来よりも各孔に、届き易くした。詳細は、別紙図１の側面図に示す如く、尺八の歌口から最上孔までの間の管の任意の部位の表側の一部を切り離さないで残し、該部位の裏側を広く、例えば二等辺三角形などに切り欠き、尺八の歌口側と管尻側の切断面同志を図２の側面図に示す如くに合わせて
接合し、曲げた部分を有する尺八を得る。或いは尺八の歌口から最上孔までの間の管の任意の部位を切断し、曲がったジョイントを用いて切り離した歌口側と管尻側を接続し曲げた部分を有する尺八を得る。または尺八の歌口から最上孔までの間の管の任意の部位を切断し、曲げた部分を有する歌口を管尻側に接続する、などの方法によって曲げた部分を有する尺八を得る。本考案はまた、更に今一つの大きな効果を生み出した。従来の尺八は歌口を口に当て、管尻側を略４０°〜５０°前方に跳ね上げた状態で支持し運指吹奏する。この姿勢を側面から観察すると口は腕のつけ根である肩よりも前方に突き出した位置にあり、尺八はその口から更に前方に突き出している。この最も前方に突き出している尺八を最も手前にある肩から出た腕、手指で支持し運指するのであるから、どうしても無理が生じる。ここに長尺の尺八を支持し運指しにくい理由がある。一方本考案の尺八を吹奏するには、尺八の歌口から曲げた部分を有する部位付近までは従来通りの角度で支持されるが、曲げた部分を有する部位付近から先の管尻側は曲げた角度の分だけ下方に下がる。これに伴い尺八を支持し運指する手指の位置が従来よりも低く、従来よりも身体に近い腹部の前方に移動してくる。この腹部の前方という位置は物を持つても操作してもとても楽な位置であり、この位置で長尺の尺八を支持し運指する本考案は吹奏する姿勢に於いても楽で疲れにくく、人間工学上に於いてもかなうものである。更に加うるに、尺八を支持し運指する手指から見て腕のつけ根である肩は従来とは逆に口の位置よりもずっと近い位置にある。その分、腕のストロークに十分なる余裕が生じ、歌口から各孔までの直線距離を短縮した事とも相まつて長尺の尺八も楽に支持し運指吹奏できる相乗効果がある。
【実施例】
【０００７】
本考案は、図１の側面図に示す如く、尺八の歌口から最上孔までの間の管の任意の部位の表側の一部を残し、該部位から裏側に向けて次第に広く、例えば二等辺三角形などの形に切り欠き、歌口側１の断線９で表わした断面と、管尻側２の断線８で表わした断面を接合し、図２の側面図に示す例の如く曲げた部分を有する尺八を得る。
【図面の簡単な説明】
【０００８】
【図１】本考案の尺八の未完成側面図である。
【図２】本考案の尺八の完成側面図である。
【符号の説明】
【０００９】
１  歌口
２  管尻
３  第一孔
４  第二孔
５  第三孔
６  第四孔
７  最上孔
８  管尻側の切断線
９  歌口側の切断線
【図１】
0003136874.tif 000003
【図２】
0003136874.tif 000004
(57)【要約】      （修正有）【課題】操作が容易でありながら、ベルトの係止力を増大させ、かつ確実に安定した係止と調整の得られるベルトのバックルを提供する。【解決手段】バックル本体２の一端に設けた軸４にベルトの基部７を止着し回動可能とすると共に、バックル本体２に刻んだ溝３に設けた軸６を介して移動可能な係止板５をこのバックルの内側に具備する。バックル本体２の他端側と係止板とはベルトの自由端１が挿通できる間隙を形成し、係止板５のバックル本体２に対する係止面にはベルトの係止を確実にするための突起を設ける。【選択図】図１
0003136878.tif 000002
【実用新案登録請求の範囲】
【請求項１】
ベルトのバックルにあって、バックル本体２の一端に設けた軸４にベルトの基部７を止着して回動可能とし、バックル本体２に刻んだ溝３に設けた軸６と一体化して移動可能な係止板５をバックル本体内部に具備し、バックル本体２の他端側と係止板５とはベルトの自由端１が挿通できる間隙を形成し、係止板５の係止面５ｂに突起を一面に設けることを特徴とするバックル
【考案の詳細な説明】
【技術分野】
【０００１】
本考案は、ズボン等に用いるベルトのバックルに関するものである。
【背景技術】
【０００２】
従来のベルトのバックルは、バックル本体に棒状の係止部材を取り付けこの係止部材をベルトに形成した係止孔に通してベルトを止めるか、短冊状の係止部材を用いてバックル本体と挟むことによりベルトを止めるようにしている。
【考案の開示】
【考案が解決しようとする課題】
【０００３】
棒状の係止部材をベルトに形成した係止孔に通してベルトをとめる方式では、係止部材を介して係止孔に引張り力が集中するために係止孔が破損し易く、締める度合いは係止孔の位置によって限定される。また短冊状の係止部材を用いる方式においては、任意の位置にベルトを固定できる利点はあるが、係止力が不十分であるとか係止部材が十分に作用するとベルトの着脱の操作が容易ではない等の欠点があった。
【０００４】
本考案は上記の点に鑑みて、従来にはない画期的な係止方法を採用することで、ベルトの耐久性及びバックルの操作性を向上させた着用感の良いベルトのバックルを提供することである。
【０００５】
本考案の上記ならびにその他の目的と新規な特徴は、以下の説明を添付図面と照らし合わせて読むと、より完全に明らかになる。
但し、図面は専ら解説のためのものであって、本考案の記述範囲を限定するものではない。
【課題を解決するための手段】
【０００６】
上記の目的を達成するために、本考案の第一の手段は、バックル本体の一端に設けた軸にベルトの基部を止着し回動可能とすると共に、バックル本体に刻んだ溝に設けた軸を介して移動可能な係止板をこのバックル本体の内側に具備することである。
【０００７】
第二の手段は、バックル本体の他端側と係止板とはベルトの自由端が挿通できる間隙を形成し、係止板のバックル本体に対する対向面にはベルトの係止を確実にするための突起を係止面一面に設けることにある。
【考案の効果】
【０００８】
本考案は、以上に説明したように構成されており、係止板のバックル本体に対する対抗面に設けた突起によって、係止力はさらに確実なものとなると共に、係止板とベルトの自由端との接触は突起を介して行われるためにベルトの挿通及び抜脱も容易となる。
【０００９】
また、係止が、棒状の係止部材ないしは短冊状の部材等の点ないしは線で行われるのではなく、係止板すなわち面で行われるために、ベルト表面の損傷もはるかに軽減される。    
【考案を実施するための最良の形態】
【００１０】
以下、図面を参照して、本考案の実施の形態を詳細に説明する。
【００１１】
本考案のベルトのバックルにおいては、バックル本体２の一端に軸４を設け、この軸にベルトの基部７を止着して回動を可能とし、ベルトの自由端１はバックル本体２と係止板５との間に形成された間隙に挿通して（図１参照）、使用に供せられる。
【００１２】
係止板５は、バックル本体２に刻まれた溝３に設けられた軸６と一体化しており、溝３の形状の範囲内で自由に移動はもちろんのこと、回動も可能となっている。
【００１３】
ベルトの使用者は、ズボンのベルト通しを介して腹部にベルトを周回させ、ベルトの自由端１をバックル本体２と係止板５との間に形成された間隙に挿通し、適宜ベルトの締め
付けを行える。
【００１４】
そして、ベルトの自由端１は、バックル本体２に刻んだ溝３に設けた軸６を指で軽く押し込むことで軸６と一体化した係止板５がベルトの方向に移動し、ベルトの戻り力と相俟って、バックル本体２と係止板５とで係止される。
【００１５】
抜脱は、軸６を止着したベルトの基部７側に指で移動することにより係止が解除され、容易に達成される。
【図面の簡単な説明】
【００１６】
【図１】本考案の一実施例を示す斜視図
【図２】図１のＡ−Ａ線断面図
【図３】係止板の斜視図
【符号の説明】
【００１７】
１    ベルトの自由端
２    バックル本体
２ｂ  バックル補助片
３    溝
４    軸
５    係止板
５ｂ  係止面
６    軸
７    ベルトの止着部
【図１】
0003136878.tif 000003
【図２】
0003136878.tif 000004
【図３】
0003136878.tif 000005
(57)【要約】      （修正有）【課題】折り畳み傘の傘袋の用途に、両足への泥はねや露濡れを防ぐカバー用途を付加した傘袋を実現する。【解決手段】折り畳み傘の傘袋にファスナー６を付けて平面状に開閉可能にする外傘袋１と、外傘袋１と同形の内傘袋が取り外し可能となるようファスナー７を付け、それぞれの内外傘袋に結び止め１１を有する紐状のもの３を取り付けることにより、泥はねや露濡れ防止カバーとして、両足に紐状のもの３を結んで装着することを可能にした。【選択図】図６
0003136884.tif 000002
【実用新案登録請求の範囲】
【請求項１】
折り畳み傘の傘袋を袋状のものから開いて平面状のものにし、平面状にした形態のまま、装着具で足の膝下手前に装着した場合は歩く時の泥はねを防ぎ、足の膝下裏側に装着した場合は山道などの草の露を防ぐことを特徴とするカバー機能を持つ折り畳み傘の傘袋。
【請求項２】
折り畳み傘の傘袋の内側にもう一つ、傘袋と同様のものを取り外し可能となるよう留め具で取付け二重構造とし、外側と内側の二つの平面状のものにより、請求項１同様の特徴を両足に行なえることを特徴とする二つのカバーを有する折り畳み傘の傘袋。
【考案の詳細な説明】
【技術分野】
【０００１】
本考案は、折り畳み傘の傘袋に傘袋以外の用途をもつ傘袋に関するものである。
【背景技術】
【０００２】
折り畳み傘の傘袋は従来、未使用時の折り畳んだ傘の形を整え、傘布を保護して収納することにおいて実用に共されている。
実用の折り畳み傘の傘袋は、持ち運び便利な折り畳み傘をカバンなどに入れて持ち歩く際に傘袋に収納し、必要に応じて傘袋から取り出し、傘袋はカバンの中に入れておく、という傘袋本来の用途のみで実用上十分であった。
【０００３】
しかし、折り畳み傘自体には、折り畳んでコンパクトに出来る反面、傘として使用する際、付随する傘袋が不用になるという欠点があった。
【０００４】
この改善策として、傘袋に傘使用時の用途として、雨が降った時の歩行時に不都合となる泥はねや、露濡れを防ぐ用途をもたせた実装形態を示した説明図が図６と図７である。同じように、傘袋に用途をもたせている従来のものとして登録実用新案第３０８４３１７号があるが、これは折り畳み傘の面積が狭いことで肩の雨濡れを補完するカバーであり、傘袋を利用して泥はねや露濡れ防止カバーとしての発想は従来には無い。
【特許文献１】登録実用新案第３０８４３１７号公報
【考案の開示】
【考案が解決しようとする課題】
【０００５】
解決しようとする問題点は、折り畳み傘の傘袋の袋部分を利用して、雨の日の歩行時の両足の泥はね防止や、山登りでの露濡れ防止を可能とする点である。
【課題を解決するための手段】
【０００６】
本考案は、折り畳み傘を使用する時に不用となる傘袋を、平面状に開口可能なカバーとなるようファスナーを設ける。このカバーに紐状の装着具を有することにより膝下への装着を可能とする。そして、このカバーの内側に、このカバーと同様なものをファスナーで取付け、取り外し可能な構造とすることで二つのカバー機能を有し、両足へのカバーの装着を可能にしたことを特徴とする。
【考案の効果】
【０００７】
本考案の折り畳み傘の傘袋を利用した傘の持ち手部分の雨濡れ防止カバー兼傘袋は、傘使用時に不用となる傘袋に、傘では補えない足の部分の泥はね防止や露濡れ防止の用途を付加したという利点がある。
【考案を実施するための最良の形態】
【０００８】
折り畳み傘の傘袋だけでは、傘袋を開いてカバーとして、両足という二つの場所への装着は不可能であるが、傘袋を二十構造にしたことで両足への装着と、傘袋に傘を入れた状態のままの余すところの無い傘袋の大きさ及び、ファスナーや紐状のものという軽微な材料で実現した。
【実施例１】
【０００９】
図６は、本考案の折り畳み傘の泥はね防止カバー兼傘袋１または２のファスナー６または７を開き、脹脛上１２から足首９にかけて傘袋１または２をあてて、紐状のもの３を膝下８と足首９でそれぞれ結び、泥はね防止として装着した実施例の側面図である。１０は靴である。
【実施例２】
【００１０】
図７は、本考案の折り畳み傘の泥はね防止カバー兼傘袋１または２のファスナー６または７を開き、膝下８から足首９にかけて傘袋１または２をあてて、紐状のもの３を脹脛上１２と足首９でそれぞれ結び、露濡れ防止として装着した実施例の側面図である。
【００１１】
このように折り畳み傘の傘袋に本来の傘袋としての用途と、雨天歩行時などの泥はねや露濡れ防止という別の用途を可能にした。
【００１２】
図６や図７の実施例のように、傘袋から泥はねや露濡れ防止カバーとして使用するには、ファスナー６、７を開き、両足へ紐状のもの３で結べば良く、装着が極めて簡単可能な事から、利用対象の拡大におおいに役立つ。
【産業上の利用可能性】
【００１３】
従来、傘を収納するという役割しか持たない傘袋に、形態を殆ど変えずに傘袋が不用となる状況の雨天時に、雨天での不都合の一つである泥はねや露濡れという問題を解消する機能を付加したことにより利用対象が多く考えられる。特に泥はねを気にする女性や、登山時の雨に必要となる折り畳み傘に付随した簡易スパッツという利用が見込まれる。
【図面の簡単な説明】
【００１４】
【図１】折り畳み傘を傘袋に入れた状態の側面図である。
【図２】傘袋を平面状に開き、内傘袋を付けた状態で外傘袋側から見た平面図である。
【図３】傘袋を平面状に開き、外傘袋が付いた状態で内傘袋側から見た平面図である。
【図４】外傘袋を内側部分から見た平面図である。
【図５】内傘袋を内側部分から見た平面図ある。
【図６】平面状に開いた傘袋を脹脛上から足首にかけて装着した側面図である。（実施例１）
【図７】平面状に開いた傘袋を膝下から足首にかけて装着した側面図である。（実施例２）
【符号の説明】
【００１５】
１    外傘袋
２    内傘袋
３    紐状のもの
４    ファスナーの引き手
５    傘
６    外傘袋のファスナー
７    内傘袋のファスナー
８    膝下
９    足首
１０    靴
１１    結び止め
１２    脹脛上
【図１】
0003136884.tif 000003
【図２】
0003136884.tif 000004
【図３】
0003136884.tif 000005
【図４】
0003136884.tif 000006
【図５】
0003136884.tif 000007
【図６】
0003136884.tif 000008
【図７】
0003136884.tif 000009
(57)【要約】      （修正有）【課題】家庭に設置して簡単に機能回復の水中訓練が出来る水中足踏み運動用バッグ浴槽の提供。【解決手段】バッグ１を引き伸ばして吊りフツク６をセットし、浴槽化して所定の水位まで水（湯）を張る。訓練者は浮き輪と掴まりバー５で身体の姿勢を保持し、水中で足踏みによる機能回復運動を行う。【選択図】図４
0003136818.tif 000002
【実用新案登録請求の範囲】
【請求項１】
歩行機能回復のため行う水中足踏み訓練に必要な水深と動作空間を持つ筒型で折り畳みのできるバッグ浴槽。
【考案の詳細な説明】
【技術分野】
【０００１】  寝たきりや、手術後で足腰の機能が衰え、歩くことが困難な人の歩行機能の回復のための水中訓練用具に関するものである。
【背景技術】
【０００２】  歩行機能回復訓練の１つとして従来、水中の浮力と抵抗を利用した水中歩行運動法などが用いられている。
水中歩行運動には適当な水深と歩行スペースが必要で、プールや大型浴槽などのある専門の施設などでなければ出来なかった。
水中では姿勢保持が難しく、動作は不安定になりやすく、運動には専門のサポーターが必要。
【考案の開示】
【考案が解決しようとする課題】
【０００３】  専門の大型の施設に行かなくても、家庭に設置して簡単に機能回復の水中訓練が出来ること。
専門のサポーターなしで家族レベルで運動訓練が出来ること。
【課題を解決するための手段】
【０００４】  訓練は水中を歩かなくてもその場で出来る足踏み運動による。
足踏みに必要な水深とスペースを限られたサイズ内に確保するため筒型の浴槽を考える。
身体の不自由な人が容易に浴槽内に出入り出来るよう、浴槽を折り畳みの出来るバッグ式にする。
水中での安定姿勢を保つことが容易な、筒型浴槽に丸い浮き輪を組み合わせ使用、自立的な足踏み運動には掴まりバーを使用する。
家庭での使用を考え、軽量、取扱い容易で、しっかり浴槽を支えることの出来る保持構造。
【考案の効果】
【０００５】  専門の大型の施設に行かなくても、家庭で簡単に機能回復の水中運動訓練が出来る。
コンパクトな筒型の浴槽の採用により、狭い浴室などで使用出来、折り畳みバッグにすることで容易に浴槽内に出入り出来る。
筒型浴槽と丸い浮き輪の組合せで水中での安定姿勢が保てる。
掴まりバーによりサポーターなしで自立的に運動ができる。
【考案を実施するための最良の形態】
【考案の構成】
【０００６】−１  運動に必要な水深と動作空間をもち、コンパクトな筒型の浴槽。
−２  訓練者の浴槽出入りと収納を容易にする折り畳みの出来るバッグ浴槽。
−３  水中で前後左右を安定的に支える、筒型浴槽と丸い浮き輪の組み合わせ。
−４  バッグを伸ばし浴槽にする際、浴槽をガイドし支えるための保持枠。
−５  水中での足踏み運動中、立ち居姿勢を支える保持枠に設けられた掴まりバー。
【考案の作用】
歩行機能回復運動は、水中で訓練者自身と浮き輪の浮力により身体を支え、足に体重負担が掛からない状態で、水の抵抗を受けながら足踏みの繰り返し動作によって行う。
【実施例】−１  訓練に先立ち、バッグを折り畳んだ状態にする。
−２  訓練者は浮き輪を着けて折り畳んだバッグ内に入る。
−３  バッグを伸ばし、吊りフックを保持枠に掛けてセットし浴槽化する。
−４  給水口を開き給水（湯）をし、所定の水位まで水（湯）を張る。
訓練者自身と浮き輪の浮力で身体が浮く、筒型浴槽と丸い浮き輪で前後左右を安定的に保持される。
−５  訓練者は掴まりバーに掴まり、立ち姿勢を保持し足踏み運動をする。
−６  訓練が終了したら排水口を開き、水（湯）を抜き、バッグを畳んで訓練者は外に出る。
【図面の簡単な説明】
【図１】  本考案の斜視図  バッグを伸ばしてセットした状態
【図２】  本考案の斜視図  バッグを折り畳んだ状態
【図３】  本考案の実施説明図  訓練に先立ち、バッグを折り畳んだ状態にし、訓練者は浮き輪を着けてバッグ内に入る。
【図４】  本考案の実施説明図  バッグを引き伸ばして吊りフツクをセットし、浴槽化して所定の水位まで水（湯）を張る。訓練者は浮き輪と掴まりバーで身体の姿勢を保持し、水中で足踏みによる機能回復運動を行う。
【符号の説明】
１  浴槽バッグ
２  バッグの折り畳み状態
３  バッグを伸ばして保持枠に吊って浴槽化した状態
４  保持枠
５  掴まりバー
６  吊りフック
７  浮き輪
８  水（湯）を張った浴槽
９  給水（湯）口
１０  訓練者が浮き輪を着けて浴槽内に入った状態
１１  訓練者が浮き輪と掴まりバーで姿勢を保持し、水中で足踏みによる機能回復運動を行う
１２  排水（湯）口
【図１】
0003136818.tif 000003
【図２】
0003136818.tif 000004
【図３】
0003136818.tif 000005
【図４】
0003136818.tif 000006
(57)【要約】      （修正有）【課題】旅行特に海外旅行で、貴重品を盗難から防ぎ安全に保管することができるポケット付きタンクトップの提供。【解決手段】タンクトップにポケットを取り付け、身体にフィットさせることで安全となる。着丈を短くすることで着用が楽になる。身長、着丈により肩に面ファスナーを取り付け、調整を可能にする。【選択図】図１
0003136820.tif 000002
【実用新案登録請求の範囲】
【請求項１】
タンクトップの前面および後面に開口部にファスナーを設けた横長のポケットを前記タンクトップの裾寄りに縫着したことを特徴とする旅行用貴重品ポケット付きタンクトップ。
【請求項２】
旅行用貴重品ポケット付タンクトップの肩部を面ファスナーで開閉自在に身体に装着することができる構造とした請求項１記載のタンクトップ。
【考案の詳細な説明】
【技術分野】
【０００１】本考案は布からなる貴重品ポケット付きに関する。
【背景技術】
【０００２】首から下げるポシェット
ウエストポーチ
従来のポケット付き下着
【考案の開示】
【考案が解決しようとする課題】
【０００３】首から下げるポシェットはひもがえりぐりから出てねらわれやすい。
重みが一ヶ所にかかり肩がこる。収納力がない。
ウエストポーチは日本人は特にねらわれる。チャックを閉め忘れたり、開けられて盗られる。トイレが不便。
従来のポケット付き下着は着丈が長く上着からすそが出る。腰まわりがごろごろする。トイレが不便。収納力が少い。
【課題を解決するための手段】
【０００４】  タンクトップの前面及び後面に開口部にファスナーを設けた横長のポケットをタンクトップの裾寄りに縫着した。タンクトップの肩部を面ファスナーで開閉自在にして身体に装着することができる構造とした。タンクトップの裾回りをベルト位置より上にした。
【考案の効果】
【０００５】  前身頃と後身頃にポケットを縫着したことによりほとんどの貴重品を収納。肩に面ファスナーを装着することで、身長に合わせて調整出来る。着丈をベルト位置より上にして短くすることにより
・ウエスト、腰回りがごろごろしない。
・上着の裾からはみ出ないので安全。
・飛行機やバスなどで座っていても腹部を圧迫することがない。
・トイレがらく。
【考案を実施するための最良の形態】
【０００６】    タンクトップの裾回りはベルト位置より上の着丈で、肩に面ファスナーを装着した。ポケットの大きさは縦２６ｃｍ横１４ｃｍとし、開口部にはファスナーを設けた。そしてこのポケットは前身頃２と後身頃６のほぼ中央であって下側寄りすなわちタンクトップの裾寄りに縫い着けた。
【産業上の利用可能性】
【０００７】  シャツ製造業界で利用出来る。
【図面の簡単な説明】
【０００８】
【図１】    本考案品の前から見た図を示す。
【図２】    本考案品の後から見た図を示す。
【符号の説明】
【０００９】１  本考案のタンクトップ
２  前身頃
３  前面ポケット
４  前ポケットのファスナー
５  面ファスナー（フック）
６  後身頃
７  後面ポケット
８  後ポケットのファスナー
９  面ファスナー（ループ）
【図１】
0003136820.tif 000003
【図２】
0003136820.tif 000004
(57)【要約】      （修正有）【課題】高所作業が容易で安全な金属製組み立て式クリスマスツリーを提供する。【解決手段】柱Ｂ２にクリスマスライト取り付け用可動式リング３をはめ込む。そこに２本のロープ４を取り付け、ツリートップ１１の２個あるリングＡ５の穴に１本ずつ通して下側へ伸ばしておく。ストレートタイプクリスマスライトをクリスマスライト取り付け用可動式リング３に柱Ｂ最下点６の位置で取り付ける。クリスマスライト取り付け用可動式リング３を柱Ｂ最下点６の位置から柱Ｂ最上点７の位置までロープ４を使用して引き上げ、ロープ４をフック８に固定する。【選択図】図１
0003136816.tif 000002
【実用新案登録請求の範囲】
【請求項１】
（イ）柱Ｂ（２）にクリスマスライト取り付け用可動式リング（３）を設けた金属製組み立て式クリスマスツリー
【考案の詳細な説明】
【技術分野】
【０００１】本考案はクリスマスライト取り付け用可動式リング（３）を設けた金属製組み立て式クリスマスツリーに関するものである。
【背景技術】
【０００２】従来、金属製組み立て式クリスマスツリーがあった。
【考案の開示】
【考案が解決しようとする課題】
【０００３】これらは次のような問題点があった。
（イ）高所のクリスマスライトの飾り付けに高所作業車が必要であった。
（ロ）高所のクリスマスライトの飾り付けに梯子を使用すると落下事故の危険があった。
本考案は、これらの欠点を除くためになされたものである。
【課題を解決するための手段】
【０００４】（イ）柱Ｂ（２）にクリスマスライト取り付け用可動式リング（３）をはめ込む。
（ロ）クリスマスライト取り付け用可動式リング（３）に２本のロープ（４）を取り付け、その２本のロープ（４）をツリートップ（１１）の２個あるリングＡ（５）の穴に１本ずつ通して下側へ伸ばしておく。
（ハ）クリスマスライト取り付け用可動式リング（３）は柱Ｂ最下点（６）の位置から柱Ｂ最上点（７）の位置までロープ（４）で引き上げられるようにしておく。
（ニ）ストレートタイプクリスマスライトをクリスマスライト取り付け用可動式リング（３）に柱Ｂ最下点（６）の位置で取り付ける。
（ホ）ストレートタイプクリスマスライトを取り付けたクリスマスライト取り付け用可動式リング（３）を柱Ｂ最下点（６）の位置から柱Ｂ最上点（７）の位置までロープ（４）を使用して引き上げ、ロープ（４）をフック（８）に固定する。
【考案の効果】
【０００５】本考案の金属製組み立て式クリスマスツリーは、クリスマスライト取り付け用可動式リング（３）を使用することにより柱Ｂ最下点（６）の位置で高所作業車や梯子を使用しなくても安全にクリスマスライトを取り付けることができ、クリスマスライト取り付け用可動式リング（３）をロープ（４）で柱Ｂ最上点（７）の位置まで引き上げることで高さのあるクリスマスツリーを飾り付けることができる。
【考案を実施するための最良の形態】
【０００６】以下、本考案の実施例について説明する。
（イ）柱Ａ（１）を垂直に設置できるように台座（９）との台座、柱接続部分（１０）の上下２箇所のネジ穴の上側を楕円形にして調整可能にしておく。
（ロ）柱Ｂ（２）は柱Ａ（１）の内側に収納できるようにして、設置する際に中から引き出して通しボルトで固定する。
（ハ）クリスマスライト取り付け用可動式リング（３）を柱Ｂ（２）にはめ込む。
（ニ）ツリートップ（１１）を柱Ｂ（２）の先端部分にはめ込み、通しボルトで固定する。
（ホ）クリスマスライト取り付け用可動式リング（３）に２本のロープ（４）を取り付け、その２本のロープ（４）をツリートップ（１１）の２個のリングＡ（５）の穴に１本ずつ通して下側へ伸ばしておく。
（ヘ）ツリートップ（１１）の４個のリングＢ（１４）に吊り下げ用ターンバックル付ワイヤー（１３）を取り付けておく。
（ト）ツリートップ（１１）を取り付けた柱Ａ（１）、柱Ｂ（２）を垂直になるように立ち上げて台座、柱接続部分をネジで固定する。
（チ）中間リング（１５）を支柱Ａ（１）に取り付ける。
（リ）下側リング（１２）を４本の吊り下げ用ターンバックル付ワイヤー（１３）で吊り下げ、下側リング（１２）が水平になるようにターンバックルで調整後、４本のトラス（１５）の取り付けネジを固定する。
（ヌ）台座（９）は十字型台座（１６）でもよい。
【図面の簡単な説明】
【０００７】
【図１】本考案の斜視図である。
【図２】本考案の分解図である。
【符号の説明】
【０００８】１    柱Ａ
２    柱Ｂ
３    クリスマスライト取り付け用可動式リング
４    ロープ
５    リングＡ
６    柱Ｂ最下点
７    柱Ｂ最上点
８    ロープ固定用フック
９    台座
１０  台座、柱接続部分
１１  ツリートップ
１２  下側リング
１３  吊り下げ用ターンバックル付ワイヤー
１４  リングＢ
１５  中間リング
１６  トラス
１７  十字型台座
【図１】
0003136816.tif 000003
【図２】
0003136816.tif 000004
(57)【要約】      （修正有）【課題】従来の太陽光の熱エネルギーを焦点に集め，熱源として利用する大型の太陽光レンズであり、石油や電気に頼らず太陽光自然エネルギーの利用による温暖化の防止や樹木などの薪を利用した熱源からの転換をはかることにより，環境問題に貢献する安価で実用的なものを提供する。【解決手段】凸レンズの外側を合成樹脂やガラスなどで構成し，内部に水などの液体などで満たし，太陽光を焦点に集めることによる。【選択図】図１
0003136814.tif 000002
【実用新案登録請求の範囲】
【請求項１】
凸レンズの外側を合成樹脂やガラス類、強化ガラス、水晶などの透明体で構成し、内部に水や油類その他の透明な液体をいれ、太陽光の熱を焦点に集め熱源として利用することを特徴とする二重構造の太陽光レンズ
【請求項２】
請求項１に記載された太陽光レンズの内部に水などの液体を出し入れする挿入口、排出口、掃除口を２個以上設置する太陽光レンズ。
【請求項３】
請求項１，請求項２に記載された太陽光レンズを調理など多目的な熱源にできるほどの数センチメートルから数十メートルまでの大きさを特徴とする太陽光レンズ。
【請求項４】
請求項１，請求項２に記載された太陽光レンズの製造にあたっては部品のキットによる組み立てとし、レンズの強度を保持するためにブロック構造を特徴とする太陽光レンズ。
【考案の詳細な説明】
【技術分野】
【０００１】    本考案は、凸レンズの外側を合成樹脂やガラス類、強化ガラス、水晶などの透明な凸面の固体で構成し、内部に水や油類その他の透明な液体をいれ、太陽光の熱を焦点に集め熱源として利用する太陽光レンズ。
【背景技術】
【０００２】    従来の太陽光エネルギーを熱源とする装置は、凸レンズを組み合わせたり、反射板をあわせたものが太陽熱集光装置、太陽熱温水器などとして知られている。
【特許文献１】  特許公開２００６−３２２６９６号公報
【特許文献２】  特許公開２００６−２４２５４８号公報
【特許文献３】  特許公開２００５−６９６８４号公報
【考案の開示】
【考案が解決しようとする課題】
【０００３】  従来の太陽熱温水器，太陽発電パネルなどによる太陽光エネルギーの活用はまだ費用効果から考えると家庭用電気、石油等のエネルギーの費用と比較してかなり割高になっているために普及がおくれている。地球温暖化を防ぐためにクリーンな太陽光エネルギーによる日常生活に役立つ装置、また今後予想される原油や石炭その他のエネルギー源の価格の高騰に対して安価な装置による太陽エネルギーの利用が強く求められている。
【考案が解決しようとする手段】
【０００４】  本考案は、図１に示すように凸レンズの外側を合成樹脂やガラス類、強化ガラスなどの透明体で構成し、内部に水や油類その他の透明な液体をいれ、太陽光の熱を焦点に集め熱源として利用する太陽光レンズ。エコクッキングや温水、発電などの多目的に利用し生活に役立つ熱源とするために太陽光レンズを数センチメートルから数十メートルまでの大型化を図る。
【考案の効果】
【０００５】  太陽光レンズを外側を合成樹脂などで製造することにより、安価で実用性に優れたものができ普及が図れる。
【０００６】  図１に示すように太陽光レンズの内部に水などの液体を挿入して使用するが、液体を排出すると軽量になり、搬送が容易になる。
【０００７】  太陽光レンズの熱源を調理などに活用できれば、地球温暖化を防ぐクリーンなエネルギーの活用に貢献し、特に熱帯地方のアフリカなどにおける樹木の燃料化による樹木の伐採の量を減らし、生活の向上に役立てることが可能となる。
【０００８】  図２に示すように太陽光レンズの設置については、金属や木質の枠や地面に掘った穴などに固定する多様な方法を目的と気候などの条件に合わせることができる。
【０００９】  焦点に熱を集めて加熱できるとともに、内部の水などが温まり温水としても使用できる。
【００１０】  図１に示すように上部に取り入れ口下部に取り出し口を設置し、使用しない時は水などを抜いておけば皮膚に焦点の熱があたって火傷をしたり、火災が起こったりしないようにすることができる。
【考案を実施するための最良の形態】
【００１１】  図１に示すように太陽光レンズの大きさを熱源を調理などの利用目的にあわせた大きさのレンズに大型化する。【００１２】  図３に示すように熱伝導の生じる金属による平板に近いような鍋などを用い太陽光レンズの焦点に集まる熱を受け止め調理などに使ったり、容器の水の中に焦点をあて温度をあげたりできるように焦点距離をあわせて太陽レンズを設計する。【００１３】  図２に示すように金属枠などに固定し、角度の調整ができるようにする。
【産業上の利用可能性】
【００１４】  最近、石油資源の開発限界と需要の増大のために原油の価格が急騰に伴い他のエネルギーの価格も全体的に上昇し、安価な自然エネルギーの獲得が急務である。また地球温暖化に対してクリーンな自然エネルギーの活用が求められている。太陽レンズは家庭用のエネルギー確保の一つとして温水、調理、発電など多様な目的で普及を図ることができる。
東南アジアからアフリカの地域では薪を燃やして調理などをしているが、太陽レンズは安価で提供でき、普及を図れるので木の伐採を減少させることが可能となり、環境問題に貢献できる。
【図面の簡単な説明】
【００１５】
【図１】  太陽光レンズ
【図２】  太陽光レンズ
【図３】  太陽光レンズ
【符号の説明】
【００１５】    １  太陽光レンズ外側（合成樹脂，ガラスなど）
２  焦点
３  熱伝導体の金属など（鍋，フライパン等）
４  太陽光
５  挿入口，掃除口
６  排出口，掃除口
７  透明な液体（水など）
８  鉄枠，木枠など
９  コンクリート，地面等
１０  温水
【図１】
0003136814.tif 000003
【図２】
0003136814.tif 000004
【図３】
0003136814.tif 000005
(57)【要約】      （修正有）【課題】自動車を運転する際、助手席に置いた荷物やカバン等が急ブレーキで前に滑り落ちる事を防止する。【解決手段】自動車の助手席の足の部分に、回転式布巻き取り器１１を固定（設置）し、助手席後部上方に太めのゴムひも３を置き、荷物を置いた時、下から回転式布巻き取り器の布６を引き出し、上のフックに掛け、荷物を固定する。【選択図】図１
0003136811.tif 000002
【実用新案登録請求の範囲】
【請求項１】
座席部及び背もたれ部を有し、且つ前記背もたれ部の上部に抜き差し可能なヘッドレス部を設けて構成する自動車用座席であって前記座席部の前面側部に開口部を有する収納部を設け、前記収納部に、該収納部内に設けた巻き取り機構に一端が巻き取り可能に上着されたコート状の荷物固定器を収納し前記開口部より出し入れ可能に構成すると共に、前記背もたれ部に設けたヘッドレス部にゴム輪等からなる掛け具を引っ掛けて構成し該係せ具に前記荷物固定具の他端を係せすることによって、前記座席部上に載置くされた荷物を、前記荷物固定具と前記座席部との間で挟着るようにしたことを特徴とする荷物固定装置付き自動車用座席
【考案の詳細な説明】
【技術分野】
【０００１】助手席は落下防止幕をネジスプリング巻き取り器により収納出来る為通常使用出来る
【背景技術】
【０００２】自動車を運転する際、助手席に置いた荷物やカバン等が急ブレーキで前に滑り落ちる事を防止することを目的とする
【考案の開示】
【考案が解決しようとする課題】
【０００３】自動車を運転して助手席に（ショツピング袋、カバン等）を置いた場合、その物（ショツピング袋、カバン等）が前方に落ちるのが気になる事を解決するために考案した
【課題を解決するための手段】
【０００４】自動車の助手席の足の部分に、回転式布巻き取り器を固定（設置）し、助手席後部上方に太めのゴムひもを置く（設置）、荷物を置いた時下から回転式布巻き取り器の布を引き出しうえのゴムひもに掛け荷物を固定する
【考案の効果】
【０００５】その事により荷物を気にせず運転が出来る
【図面の簡単な説明】
【０００６】
【図１】Ａは、荷物固定装置付き自動車用座席の側面図で、２の追突防止ヘッドの支柱に太さ５ミリのひも３を付け、そのゴムひもに５の落下防止幕の先端棒状の中間についている４のフックを掛け７の荷物を荷物落下防止幕６でつつむ様におおい安定する  Ｂは  荷物固定装置付き自動車用座席の側面で、落下防止幕を収納している図で落下防止幕をバネスプリング巻き取り器で収納した図
【図２】Ａは、荷物固定装置付き自動車用座席の正面の図で、荷物を置いた図  Ｂは、荷物固定装置付き自動車用座席の正面の図で、荷物を置かない場合の助手席で座席足部１３の部分に６落下防止幕を収納する
【図３】Ａは、落下防止幕の開いた側面、Ｂは、落下防止幕の閉じた図、バネスプリング巻き取り器により収納出来る
【図４】Ａは、落下防止幕の正面の図  Ｂは、落下防止幕の正面で閉じた図
【図５】Ａは、助手席の上部にフックを掛けない状態を示す図  Ｂは、助手席の上部にフックを掛けた場合
【符号の説明】
【０００７】    １．助手席の追突防止ヘッド
２、助手席の追突防止ヘッドの支柱
３、落下防止幕のフックを掛けるゴムひも太さは５ミリ
４、落下防止幕のフック
助手席の上部に設置したゴムひもに掛けるフック
５、落下防止幕の幕を広げ安定する為の（金属、プラスチック、又は棒状）もの
６、落下防止幕、荷物を固定する幕
７、荷物
８、助手席の背にかかる前面部
９、助手席の後面部
１０．助手席の座席部
１１．落下防止幕を収納するバネスプリング巻き取り器ケース
１２．助手席の後面部下部
１３．助手席の足部前面部に落下防止幕を収納するケースを装着する
荷物を助手席に置いた場合落下防止幕を引き出し助手席の上部のゴムにかける
【図１】
0003136811.tif 000003
【図２】
0003136811.tif 000004
【図３】
0003136811.tif 000005
【図４】
0003136811.tif 000006
【図５】
0003136811.tif 000007
(57)【要約】      （修正有）【課題】積雪寒冷地における冬道での転倒防止のための滑り止め用靴底を提供する。【解決手段】コイルバネを取り付けて成る靴底とする。【選択図】図１
0003136863.tif 000002
【実用新案登録請求の範囲】
【請求項１】
コイルバネを、その側面が接地するように取り付けて成る滑り止め用靴底。
【考案の詳細な説明】
【技術分野】
【０００１】
本考案は、積雪寒冷地における圧雪路、氷面路などの冬道における滑り止め用の靴底に関するものである。
【背景技術】
【０００２】
従来、寒冷地における冬期間の圧雪路、凍結路面等でのスリップに拠る転倒事故を防止するための様々な靴用滑り止め具が使用され或いは提案されているが何れも満足の出来る器具が無かったことに鑑み、同一出願人によって、コイルバネの特性を生かした有効な滑り止め具が特許、実用新案として提案されている。コイルバネ内にゴムなどの弾性材で作る紐を通して、この紐を靴に結び付けて使用する靴用滑り止め具及びコイルバネの側面を基板に固定し、この基板を靴底に固定して使用する靴用滑り止め具である。
【特許文献１】特許第３７７８５１５号公報
【特許文献２】実用新案登録第３１１７６２５号公報
【考案の開示】
【考案が解決しようとする課題】
【０００３】
本考案は、前記同一出願人によって提案されている靴に取り付けて使用する滑り止め具を更に発展的に簡易化した滑り止め手段を提供することを課題としている。
【課題を解決するための手段】
【０００４】
側面に作用する人体の荷重によって容易に変形しない程度の強度を有するコイルバネを、その側面が路面に接するように直接靴に取り付けた靴底として課題を解決している。
【考案の効果】
【０００５】
本考案によって、靴底が滑り止めと成る為に、その靴を履くだけで用が足り、使用の度に滑り止め具を靴に取り付ける必要が無くなり目的を容易に達成できるが、最大の効果は、従来公知の靴底にピンなどが埋め込まれている既製の滑り止め用靴に比べて滑り難いという効果を遥かに凌ぐ効果を有することであり且つ路面或いはヒトを踏みつけて傷つけ無いと言う安全性の高い効果をも有する。
【考案を実施するための最良の形態】
【０００６】
ゴム靴などの靴の成形時に、コイルバネの伸縮方向を歩行方向と略直角になるように配置して、コイルバネの全長に渡って側面の一部を靴底面から突出させて、靴底の踵部と前方部に埋め込んで一体化して製作することが生産的となる。
【実施例１】
【０００７】
以下、図面に示す実施例に基づいて本考案の実施態様について説明する。
図１、図２及び図３は、コイルバネを靴底に埋め込んだ実施例であり、靴底１にコイルバネ2を、そのバネ径の半分程度を靴底１の踵部３及び前方部４に各々一個埋め込んでいるものである。本実施例では、歩行方向とバネの伸縮方向が直角になるように配置してあるが、複数個のバネを使用する場合には、例えば三個のコイルバネ２を図３に示すように靴底の前方部４に三角形状に配置する等の使用も自由である。この場合、少なくとも一個のコイルバネ２は歩行方向とその伸縮方向が直角になるように設けることが、必須の条件ではないけれども望ましいものとなる。
【実施例２】
【０００８】
図４及び図５は、実施例１における、コイルバネの靴底への取り付け手段以外の一実施例を示すものであり、靴底１に溝５を穿ってコイルバネ２を嵌着する例である。この場合、コイルバネ２の直径にして半分以上が横にして収まる空間部を有しコイルバネ２の長さに略等しい長さの溝５の挿入口６をコイルバネ２の直径よりも狭い幅で弾性を持たせて施し、コイルバネ2が嵌め込まれた後に挿入口６の辺部でコイルバネ2の側面を挟止してコイルバネ２の靴底１からの離脱を防止している。この実施例では溝５内でコイルバネ２の固着を強固なものとするために接着剤等の使用も効果的である。
【０００９】
上記のようにコイルバネ２の側面を押さえて止める以外に、図５に示す溝５の両端面に内側に向けた凸部７を設けて、コイルバネ2を縮めた状態で溝５内に挿入した後に、この凸部７にコイルバネ２の両端部が嵌まり込んで一体化される方法もある。
【００１０】
亦、図示はしないが、通常、予め横溝などを設ける靴底にコイルバネを嵌め込んで接着剤等で固定して、コイルバネが靴と一体化された靴底とすることも可能である。更に、コイルバネの一部を樹脂等で固めて、この樹脂等を靴底に設けてある溝に嵌めて固定する或いは接着する等の方法も可能である。
【００１１】
本考案にあっては、側面に作用する人の荷重に耐えうる強度を有するコイルバネであればバネの大きさなどは問うものではないが、一つの例として、ステンレス鋼製で線径が１ｍｍ程度、バネ径が５ｍｍ程度のものでも十分に効果があるが、その設定は設計上の問題となる。本考案にあっては、要するに、コイルバネを直接靴底に設けてなるもので、コイルバネの側面の一部が靴底面から突出していることが必要条件である。更に、靴には全て靴底があるので、本滑り止め用靴底も靴の種類或いは材質、大きさ等に関係なくどのような靴にも対応ができ実施することが可能である。
【産業上の利用可能性】
【００１２】
本考案は滑り止め用靴底であるが、設計如何によっては、この技術的手段を大型の構成で実施し雪道を走行する車両のタイヤ等に利用することも可能である。
【図面の簡単な説明】
【００１３】
【図１】本考案の一実施例を示す靴底の外観図である。
【図２】図１における実施例の部分縦断面図である。
【図３】他の実施例を示す靴底外観図である。
【図４】他の実施例を示す外観図である。
【図５】図４の部分断面図である。
【符号の説明】
【００１４】
１    靴底
２    コイルバネ  
３    踵部
４    前方部
５    溝
６    挿入口
７    凸部
【図１】
0003136863.tif 000003
【図２】
0003136863.tif 000004
【図３】
0003136863.tif 000005
【図４】
0003136863.tif 000006
【図５】
0003136863.tif 000007